(57)【特許請求の範囲】
【請求項１】
かご内の乗客数が１人であることを検出する検出手段と、検出手段によって乗客が１人であることが検出されたときに音声による行き先階登録が可能であることを乗客に報知する報知手段と、乗客が発する声による行き先階指示を受け付けて認識する音声認識手段と、音声認識手段で最初に認識された行き先階だけを登録する登録手段と、を備えるエレベータ音声行き先階登録装置。
【請求項２】
請求項１に記載のエレベータ音声行き先階登録装置において、
検出手段は、かご内の乗客重量を計測するかご内秤装置であって、かご内秤装置による計測値を所定の閾値と比較することにより乗客が１人であることを検出することを特徴とするエレベータ音声行き先階登録装置。
【請求項３】
請求項１または２に記載のエレベータ音声行き先階登録装置において、
報知手段による報知は、表示器による表示および音声アナウンスの少なくともいずれか一方であることを特徴とするエレベータ音声行き先階登録装置。
【発明の詳細な説明】
【技術分野】
【０００１】
本発明は、エレベータ音声行き先階登録装置に関し、特に、かご内の乗客が１人のときに音声による行き先階登録を可能にするエレベータ音声行き先階登録装置に関する。
【背景技術】
【０００２】
一般に、エレベータを利用しようとする乗客は、エレベータ乗場の壁に設置されているかご呼び登録ボタンを押してかごを呼び、かごが着床および扉開してかご内へ乗り込んでからかご操作盤に配置されている複数の行き先階登録ボタンから目的階を選んで押し操作する必要がある。
【０００３】
しかし、荷物等を持つことで両手がふさがっている人、身体障害者、高齢者等の乗客については、上記のようなかご呼び登録および行き先階登録のための押ボタン操作が容易でない場合がある。
【０００４】
そこで、従来、乗客が発する音声によってかご呼び登録および行き先階登録を可能にすることで、エレベータの利便性を向上させる種々の提案がなされている。
【０００５】
例えば、特許文献１には、高齢者や身体障害者などがエレベータをより利用しやすくするために、音声による乗場でのかご呼び登録およびかご内での行き先階登録を可能にしているエレベータ装置が開示されている。また、特許文献２に開示されように、乗客が両手に荷物を持っているような場合に乗場において音声でかご呼び登録をできるようにしたエレベータは周知技術である。
【０００６】
【特許文献１】特開２００６−３６４７２号公報
【特許文献２】特開平６−２５５９１１号公報
【発明の開示】
【発明が解決しようとする課題】
【０００７】
しかしながら、かご内での行き先階音声登録を可能にしたエレベータにおいて、乗場に着床して扉開したかご内に乗り込んだ乗客がいたずらで「さんかい、よんかい、ごかい、ろっかい」のように複数の行き先階を連呼した場合に全ての行き先階登録がされてしまうという問題がある。
【０００８】
また、高齢者、身体障害者、両手で荷物を持った人等がエレベータを利用するときにかご内に同乗者がいればその同乗者に行き先階登録ボタンを押してもらうことを依頼すれば足りるから、そもそも、かご内での行き先階音声登録機能は上記のような特定の人が１人でエレベータを利用するときに有効な機能であると言える。
【０００９】
本発明の目的は、かご内に乗り込んだ乗客が１人であるときに行き先階音声登録を可能にするとともに、いたずらによる複数階の行き先階音声登録を防止するエレベータ音声行き先階登録装置を提供することにある。
【課題を解決するための手段】
【００１０】
本発明に係るエレベータ音声行き先階登録装置は、かご内の乗客数が１人であることを検出する検出手段と、検出手段によって乗客が１人であることが検出されたときに音声による行き先階登録が可能であることを乗客に報知する報知手段と、乗客が発する声による行き先階指示を受け付けて認識する音声認識手段と、音声認識手段で最初に認識された行き先階だけを登録する登録手段と、を備える。
【００１１】
また、本発明に係るエレベータ音声行き先階登録装置において、検出手段は、かご内の乗客重量を計測するかご内秤装置であって、かご内秤装置による計測値を所定の閾値と比較することにより乗客が１人であることを検出してもよい。
【００１２】
また、本発明に係るエレベータ音声行き先階登録装置において、報知手段による報知は、表示器による表示および音声アナウンスの少なくともいずれか一方であることが好ましい。
【発明の効果】
【００１３】
本発明に係るエレベータ音声行き先階登録装置によれば、登録手段は乗客が発する声による行き先階指示のうちの音声認識手段で最初に認識された行き先階だけを登録するため、いたずらにより複数階床分の行き先階登録が行われるのを防止できる。
【００１４】
また、本発明に係るエレベータ音声行き先階登録装置では、かごに乗り込んだ乗客が１人だけの場合に行き先階音声登録を可能にしているので、行き先階音声登録機能が本当に必要とされるときだけに有効に発揮することができ、これによってもいたずら防止効果が向上する。
【発明を実施するための最良の形態】
【００１５】
以下に、本発明に係る実施の形態について添付図面を参照しながら詳細に説明する。この説明において、具体的な形状、材料、数値、方向等は、本発明の理解を容易にするための例示であって、用途、目的、仕様等にあわせて適宜変更することができる。
【００１６】
図１は、本発明の一実施形態であるエレベータ音声行き先階登録装置１０を含むエレベータシステムのかご１２を示す概略構成図である。昇降路内に配置されているかご１２の上部には、３本のロープ１４が連結されている。これらのロープ１４が図示しない巻上機によって巻き上げまたは巻き降ろしされることによって、かご１２が昇降路内を上下に移動するようになっている。
【００１７】
かご１２の上には、かご１２内の乗客重量を計測するかご内秤装置１６が設置されている。かご内秤装置１６によって計測される乗客重量が予め設定される定員数に大人１人当たりの体重約６５ｋｇを乗じた定員総重量を超えたときに、かご１２内にブザーによる乗り過ぎ警告音が発せられるようになっている。また、かご内秤装置１６は、後述する制御部と共に、かご１２内の乗客数が１人であることを検出する検出手段を構成する。
【００１８】
かご１２の上には、さらに、制御装置１８が設置されている。制御装置１８は、エレベータ音声行き先階登録装置１０の制御を司る機能を有するものである。なお、制御装置１８は、エレベータシステム全体の制御を司るエレベータ制御盤（図示せず）内に組み込まれてもよい。
【００１９】
かご１２内の正面には、かご１２が各階に着床したときに扉開動作してかご１２内を開放する両開きまたは片開きタイプのかご扉２０が設けられている。また、かご１２内のかご扉２０の横に位置するかご側壁には、かご操作盤２２が設置されている。かご操作盤２２は、メンテナンススイッチ格納部２４、扉開閉ボタン２６、行き先階登録ボタン２８、非常用インターホン３０および階床インジケータ３２を下から順に含んで構成されている。行き先階登録ボタン２８は、かご１２が停止する階床数に相当する複数個が設けられ、通常時は、かご１２に乗り込んだ乗客が目的階の行き先階登録ボタンを押すことによって行き先階が登録されるもので、その登録状態を表示すべく押されたボタンが点灯するようになっている。
【００２０】
かご操作盤２２の上方に位置するかご側壁には、音声認識手段の一部を構成するマイクロホン３４と、報知手段を構成する表示器３６とが設置されている。表示器３６は、かご１２内の乗客に対して行き先階音声登録が可能であることを報知するためのもので、ランプ等で照明されて点灯されることで「行き先階を音声で登録できます」というような内容が表示されるようになっている。なお、表示器３６は、乗客に対するメッセージを表示可能なものであれば、ランプ型、液晶、有機ＥＬ等のどのようなタイプのものであってもよい。
【００２１】
図２は、エレベータ音声行き先階登録装置１０の制御系を示すブロック図である。制御装置１８は、マイクロホン３４と共に音声認識手段を構成する音声認識部３８と、登録手段を構成する制御部４０とを有する。音声認識部３８は、マイクロホン３４を介して入力される乗客の発した声による行き先階指示を受け付けて認識する機能を有する。具体的には、音声認識部３８は、各階床数に対応する複数の音声データを予め記憶しており、それらの音声データとマイクロホン３４から入力される音声データとの照合により、行き先階指示を認識できるようになっている。
【００２２】
制御部４０は、制御プログラムを実行するＣＰＵ４２、制御プログラムを格納するＲＯＭ４４、および乗客が１人であるか否かを判定するための重量閾値データ等を読み書き可能に記憶するＲＡＭ４６を含んで構成される。制御部４０は、かご１２内の乗客数が１人であることを検出する検出手段の一部を構成すると共に、音声認識部３８で認識された行き先階指示のうち最初に認識した行き先階だけを登録する機能を有する。
【００２３】
なお、本実施形態のエレベータ音声行き先階登録装置１０が適用されるエレベータシステムでは、各階床の乗場に音声かご呼び登録装置が設置されており、この音声かご呼び登録装置は上記背景技術欄で述べたように従来周知のものを用いることができる。
【００２４】
続いて、上記構成からなるエレベータ音声行き先階登録装置１０の機能について説明する。ここでは、図１に示すように、荷物を両手に持っているために、荷物を床に一旦降ろすことなく乗場でのかご呼び操作およびかご内での行き先階登録操作ができない人がエレベータの乗客１であることを想定して説明する。
【００２５】
乗場に来た乗客１は、例えば「うえ」または「した」と発声することにより音声によってかご呼び登録が行われ、乗場壁に設置されているかご呼び押ボタンが点灯する。かご１２は乗客１が待つ階床に到着すると、かご扉２０および乗場扉（図示せず)が扉開動作し、これにより乗客１はかご１２内に乗り込むことができる。
【００２６】
このとき、制御装置１８の制御部４０では、図３に示すような制御が実行される。まず、かご１２内に乗客１が乗り込むと、かご内秤装置１６により計測されるかご内乗客重量Ｗが１３０ｋｇ未満か否かを判定する（ステップＳ１０）。ここでの重量閾値である１３０ｋｇは、エレベータかご定員数の基準として慣例的に用いられる大人１人当たりの体重６５ｋｇの２倍、すなわち大人２人分に相当する。ただし、この重量閾値は、単なる例示であって、乗客が１人であることを検出するのに適した別の数値に変更して設定可能である。
【００２７】
かご内乗客重量Ｗが１３０ｋｇ未満であると判定されると(ステップＳ１０でＹＥＳ)、乗客数が１人であると検出される。この場合、かご１２内のマイクロホン３４と音声認識部３８とを作動させて乗客１による声での行き先階指示を受付可能な状態にすると共に、表示器３６を点灯させて音声行き先階登録が可能であることを報知する(ステップＳ１２)。これにより、１人だけの乗客１に対して、このエレベータシステムは音声行き先階登録が可能であることを認識させることができる。なお、表示器３６の点灯による報知に代えて又はこれと併せて、かご１２内に表示器３６による表示と同内容の音声アナウンスをしてもよい。
【００２８】
一方、かご内乗客重量Ｗが１３０ｋｇ以上である場合（ステップＳ１０でＮＯ）、かご１２内の乗客が２人以上であると検出され、そのまま制御フローを終了する。
【００２９】
なお、例えば乗客が大人１子供１人、または、女性２人、子供３人等のように２人以上の乗客数の場合でもかご内乗客重量が１３０ｋｇ未満となる場合が十分に有り得るが、その場合には通常と同じようにかご操作盤２２の行き先階登録ボタン２８を押し操作することで音声によらずに行き先階登録も可能であるから、何ら問題はない。
【００３０】
マイクロホン３４および音声認識部３８は、例えば扉閉動作が開始されるまでの間、音声による行き先階指示受付可能な状態を維持する。この間に、乗客１が声で例えば「さん」または「さんかい」というような行き先階指示したとき（ステップＳ１３でＹＥＳ）、音声認識部３８で認識された３階が行き先階として自動登録され、かご操作盤２２の３階用押ボタン２８が点灯される。このとき、乗客１がいたずらで例えば「さん、よん、ごう、ろく」というように複数階の行き先階をいたずらで連呼したとしても、音声認識部３８において最初に認識された３階だけが行き先階として登録される(ステップＳ１４)。これにより、いたずらで複数階床分の行き先階登録がなされるのを防止できる。
【００３１】
音声による行き先階の登録が完了すると、表示器３６を消灯して（ステップＳ１６）、制御フローを終了する。また、扉閉動作開始までに音声での行き先階指示がなかった場合(ステップＳ１３でＮＯ)も同様に、表示器３６を消灯して（ステップＳ１６）、制御フローを終了する。
【００３２】
上述したように、本実施形態のエレベータ音声行き先階登録装置１０によれば、乗客１が発する声による行き先階指示のうちの音声認識部３８で最初に認識された行き先階だけを登録するため、いたずらにより複数階床分の行き先階登録が行われるのを防止できる。
【００３３】
また、かご１２に乗り込んだ乗客が１人であると検出されるときだけに行き先階音声登録を可能にしているので、行き先階音声登録機能が本当に必要とされるときだけに有効に発揮することができ、これによってもいたずら防止効果が向上する。
【００３４】
さらに、かご内の乗客数が１人であることを検出するのに、かご１２に通常設置されているかご内秤装置１６を利用しているので、乗客数検出用の特別なセンサやカメラを設ける場合に比べてコストを抑制できる。
【図面の簡単な説明】
【００３５】
【図１】本発明の一実施形態のエレベータ音声行き先階登録装置を組み込んだエレベータかご１２の概略構成図である。
【図２】図１に示す制御装置と他の機器類との接続関係を示すブロック図である。
【図３】図２に示す制御部で実行される制御を示すフローチャートである。
【符号の説明】
【００３６】
１  乗客、１０  エレベータ音声行き先階登録装置、１２  かご、１４  ロープ、１６  かご内秤装置、１８  制御装置、２０  かご扉、２２  かご操作盤、２４  メンテナンススイッチ格納部、２６  扉開閉ボタン、２８  行き先階登録ボタン、３０  非常用インターホン、３２  階床インジケータ、３４  マイクロホン、３６  表示器、３８  音声認識部、４０  制御部、４２  ＣＰＵ、４４  ＲＯＭ、４６  ＲＡＭ。
【図１】
0005010500.tif 000002
【図２】
0005010500.tif 000003
【図３】
0005010500.tif 000004